(57)【要約】【課題】プロテクタ本体の底壁に結束部材を簡単に取り付けできて電線を固定できるプロテクタを提供する。【解決手段】結束部材２０を用いて内部に収容されている電線Ｈを固定するプロテクタ１０において、ワイヤハーネスＷ／Ｈを構成する電線Ｈを収容するプロテクタ本体１１の底壁１２に結束部材２０が挿通する一対の挿通孔１４，１５を設け、この一対の挿通孔１４，１５のうちの一方の挿通孔１４から挿通した結束部材２０を他方の挿通孔１５よりプロテクタ本体１１の内部へ導く導入ガイド１６を、他方の挿通孔１５から延出させて設けた。【選択図】図４
2019221082.tif 000002
【特許請求の範囲】
【請求項１】
ワイヤハーネスを構成する電線を収容するプロテクタ本体の底壁に結束部材が挿通する一対の挿通孔を設け、
前記一対の挿通孔のうちの一方の挿通孔から挿通した前記結束部材を他方の挿通孔より前記プロテクタ本体の内部へ導く導入ガイドを、前記他方の挿通孔から延出させて設けたことを特徴とするプロテクタ。
【請求項２】
請求項１記載のプロテクタであって、
前記一方の挿通孔には、該一方の挿通孔から挿通した前記結束部材の先端を前記導入ガイドに誘導させる誘導ガイドを設けたことを特徴とするプロテクタ。
【請求項３】
請求項２記載のプロテクタであって、
前記導入ガイド及び前記誘導ガイドの相対向する各内面は、前記結束部材の幅よりも広い幅を有した案内面となって湾曲状にそれぞれ形成されていることを特徴とするプロテクタ。
【請求項４】
請求項２記載のプロテクタであって、
前記導入ガイドと前記誘導ガイドとを一体に形成したことを特徴とするプロテクタ。
【発明の詳細な説明】
【技術分野】
【０００１】
本発明は、結束バンドを用いて内部に収容されている電線を固定するプロテクタに関する。
【背景技術】
【０００２】
この種のプロテクタとして、図６及び図７に示すものがある。このプロテクタ１は、図６に示すように、プロテクタ本体２の底壁３の中央に形成されている一方のバンド挿通孔５から結束バンド９のバンド部９ａを通した（図６中バンド部９ａの第１の軌跡を符号Ｓ１で示す）後で、図７に示すように、底壁３の側壁４側に形成されている他方のバンド挿通孔６に結束バンド９のバンド部９ａを更に通し（図６中バンド部９ａの第２の軌跡を符号Ｓ２で示す）、結束バンド９のバンド固定部９ｂにバンド部９ａを固定することにより、プロテクタ本体２内の底壁３に複数の電線Ｈの束からなるワイヤハーネスＷ／Ｈを結束バンド９で固定している。
【先行技術文献】
【特許文献】
【０００３】
【特許文献１】特開２０１０−９８９２１号公報
【特許文献２】特開２０１５−１４６６６９号公報
【発明の概要】
【発明が解決しようとする課題】
【０００４】
しかしながら、前記従来のプロテクタ１では、結束バンド９のバンド部９ａの通し作業が一対のバンド挿通孔５，６への２回の手作業で行われており、しかも、この手作業が配索治具上から見えない箇所での作業のため、熟練を要した。
【０００５】
そこで、本発明は、前記した課題を解決すべくなされたものであり、プロテクタ本体の底壁に結束部材を簡単に取り付けできて電線を固定できるプロテクタを提供することを目的とする。
【課題を解決するための手段】
【０００６】
本発明は、結束部材を用いて内部に収容されている電線を固定するプロテクタであって、ワイヤハーネスを構成する電線を収容するプロテクタ本体の底壁に結束部材が挿通する一対の挿通孔を設け、前記一対の挿通孔のうちの一方の挿通孔から挿通した前記結束部材を他方の挿通孔より前記プロテクタ本体の内部へ導く導入ガイドを、前記他方の挿通孔から延出させて設けたことを特徴とする。
【発明の効果】
【０００７】
本発明によれば、プロテクタ本体の底壁に設けられた一方の挿通孔から挿通した結束部材が導入ガイドを介して他方の挿通孔からプロテクタ本体内へ自動的に導かれることにより、プロテクタ本体の底壁に結束部材を簡単に取り付けることができ、プロテクタ本体内の底壁に電線を結束部材を用いて簡単かつ確実に固定することができる。
【図面の簡単な説明】
【０００８】
【図１】本発明の第１実施形態の電線を固定したプロテクタを示す斜視図である。
【図２】上記電線を固定したプロテクタを底壁側から見た斜視図である。
【図３】上記プロテクタの電線固定前の断面図である。
【図４】上記プロテクタの電線固定後の断面図である。
【図５】本発明の第２実施形態の電線を固定したプロテクタの断面図である。
【図６】従来のプロテクタの電線固定前の斜視図である。
【図７】上記従来のプロテクタの電線固定後の斜視図である。
【発明を実施するための形態】
【０００９】
以下、本発明の実施形態を図面に基づいて説明する。
【００１０】
図１は本発明の第１実施形態の電線を固定したプロテクタを示す斜視図、図２は同電線を固定したプロテクタを底壁側から見た斜視図、図３は同プロテクタの電線固定前の断面図、図４は同プロテクタの電線固定後の断面図である。
【００１１】
図１〜図４に示すように、プロテクタ１０は、ワイヤハーネスＷ／Ｈを構成する電線Ｈを収容する合成樹脂製のプロテクタ本体１１を備えている。このプロテクタ本体１１は、底壁１２と、底壁１２の両側から突設する両側壁１３，１３とを有していて、これら底壁１２と両側壁１３，１３との間がワイヤハーネスＷ／Ｈを収容する空間になっている。
【００１２】
そして、図３及び図４に示すように、プロテクタ本体１１の底壁１２には、結束バンド（結束部材）２０のバンド部２１が挿通する一対のバンド挿通孔（挿通孔）１４，１５を穿設してある。この一対のバンド挿通孔１４，１５のうちの一方（底壁１２の中央に位置する方）のバンド挿通孔１４から挿通した結束バンド２０のバンド部２１を他方（側壁１３側に位置する方）のバンド挿通孔１５よりプロテクタ本体１１の内部へ導く先端側が円弧状の導入ガイド１６を他方の挿通孔１５から外側に延出させて一体突出形成してある。尚、一対のバンド挿通孔１４，１５は、プロテクタ本体１１の底壁１２に載置されたワイヤハーネスＷ／Ｈを挟むようにその両側において所定距離隔てた位置にそれぞれ設けられている。
【００１３】
また、一方の挿通孔１４には、該一方の挿通孔１４から挿通した結束バンド２０のバンド部２１の先端２１ａを導入ガイド１６に誘導させる円弧状の誘導ガイド１７を一方の挿通孔１４から外側に延出させて一体突出形成してある。これら導入ガイド１６及び誘導ガイド１７の相対向する各内面は、結束バンド２０のバンド部２１の幅よりも広い幅を有した案内面１６ａ，１７ａとなって湾曲状にそれぞれ形成されている。
【００１４】
尚、結束バンド２０は、帯状に形成されたバンド部２１と、このバンド部２１を係止可能に形成されたバンド固定部２２とを有している。
【００１５】
以上第１実施形態のプロテクタ１０によれば、図３に示すように、プロテクタ本体１１の底壁１２に設けられた一方のバンド挿通孔１４から結束バンド２０のバンド部２１を挿通すると、バンド部２１の先端２１ａが誘導ガイド１７によって導入ガイド１６側に誘導され、バンド部２１が導入ガイド１６から他方の挿通孔１５を通ってプロテクタ本体１１内へ自動的に導かれる。このバンド部２１の誘導及び導入の際に、バンド部２１の先端２１ａは、導入ガイド１６の案内面１６ａと誘導ガイド１７の案内面１７ａを摺動して確実にプロテクタ本体１１内へ導かれる。
【００１６】
また、結束バンド２０のバンド部２１をプロテクタ本体１１内に通す際、バンド部２１は誘導ガイド１７と導入ガイド１６の形状によって、図３に示すバンド部軌跡Ｓで通すことができるため、バンド部２１を一方のバンド挿通孔１４から他方の挿通孔１５まで通す作業を１回の作業で行うことができる。よって、結束バンド２０のバンド部２１をプロテクタ本体１１内に通す作業が１回の作業で完了するため、作業性が向上する。即ち、プロテクタ本体１１の底壁１２に結束バンド２０を簡単に取り付けることができる。これにより、図４に示すように、プロテクタ本体１１内の底壁１２に複数の電線Ｈの束からなるをワイヤハーネスＷ／Ｈを結束バンド２０を用いて簡単かつ確実に固定することができる。このワイヤハーネスＷ／Ｈの固定状態は、図１及び図２に示すように、底壁１２の導入ガイド１６と誘導ガイド１７との間に露出している結束バンド２０のバンド部２１により外側から確認することができる。
【００１７】
図５は本発明の第２実施形態の電線を固定したプロテクタの断面図である。
【００１８】
この第２実施形態のプロテクタ１０′では、プロテクタ本体１１の底壁１２の外面に突設された導入ガイド１６と誘導ガイド１７とが一体に形成されている点が前記第１実施形態と異なる。尚、他の構成部分は、前記第１実施形態と同一であるため、同一構成部分には同一符号を付して詳細な説明は省略する。
【００１９】
この第２実施形態でも前記第１実施形態と同様に、結束バンド２０のバンド部２１をプロテクタ本体１１内に通す際、一体に形成された誘導ガイド１７と導入ガイド１６の形状によって、バンド部２１を一方のバンド挿通孔１４から他方の挿通孔１５まで１回の作業により通すことができ、プロテクタ本体１１の底壁１２に結束バンド２０を簡単に取り付けることができる。これにより、図５に示すように、プロテクタ本体１１内の底壁１２に複数の電線Ｈの束からなるをワイヤハーネスＷ／Ｈを結束バンド２０を用いて簡単かつ確実に固定することができる。
【００２０】
尚、前記各実施形態によれば、結束部材として結束バンドを用いたが、結束部材は結束バンドに限られるものではない。
【符号の説明】
【００２１】
１０，１０′  プロテクタ
１１  プロテクタ本体
１２  底壁
１４，１５  一対のバンド挿通孔（挿通孔）
１４  一方のバンド挿通孔（一方の挿通孔）
１５  他方のバンド挿通孔（他方の挿通孔）
１６  導入ガイド
１６ａ  案内面
１７  誘導ガイド
１７ａ  案内面
２０  結束バンド（結束部材）
２１ａ  先端
Ｗ／Ｈ  ワイヤハーネス
Ｈ  電線
【図１】
2019221082.tif 000003
【図２】
2019221082.tif 000004
【図３】
2019221082.tif 000005
【図４】
2019221082.tif 000006
【図５】
2019221082.tif 000007
【図６】
2019221082.tif 000008
【図７】
2019221082.tif 000009